【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】
ホストコンピュータとの複数のチャネルインターフェースと、
ディスク装置との複数のディスクインターフェースと、
前記チャネルインターフェースと前記ディスクインターフェースを１対１接続可能な第一のアクセスパスと、
前記チャネルインターフェースと前記ディスクインターフェースを接続する第二のアクセスパスを備え、
前記ディスク装置に書き込まれるデータ、又は前記ディスク装置から読み出されるデータは前記第一のアクセスパスを介して伝送され、
また、データ伝送に関する制御情報は前記第二のアクセスパスを介して伝送され、さらに、前記第一のアクセスパスのビット幅は、前記第二のアクセスパスのビット幅よりも広いことを特徴とするディスクアレイ制御装置。
【請求項２】
ホストコンピュータとの複数のチャネルインターフェースと、
ディスク装置との複数のディスクインターフェースと、
前記チャネルインターフェースと前記ディスクインターフェースを１対１接続可能なデータ用ネットワークと、
前記チャネルインターフェースと前記ディスクインターフェースを接続する制御情報用ネットワークを備え、
前記ディスク装置に書き込まれるデータ、又は前記ディスク装置から読み出しされるデータは前記データ用ネットワークを介して伝送され、
データ伝送に関する制御情報は前記制御情報用ネットワークを介して、前記データ用ネットワークとは独立に、伝送されることを特徴とするディスクアレイ制御装置。
【請求項３】
ホストコンピュータとの複数のチャネルインターフェースと、
ディスク装置との複数のディスクインターフェースを備え、
前記チャンネルインターフェースは第一及び第二のアクセス制御部を備え、
前記ディスクインターフェースは第三及び第四のアクセス制御部を備え、
前記第一のアクセス制御部と前記第三のアクセス制御部は１対１接続可能であり、
前記ディスク装置に書き込まれるデータ、又は前記ディスク装置から読み出されるデータは、前記第一のアクセス制御部及び前記第三のアクセス制御部を介して伝送され、
データ伝送に関する制御情報は、前記第二のアクセス制御部及び前記第四のアクセス制御部を介して伝送されることを特徴とするディスクアレイ制御装置。
【請求項４】
ホストコンピュータとの複数のチャネルインターフェースと、
ディスク装置との複数のディスクインターフェースと、
前記複数のチャネルインターフェースと前記複数のディスクインターフェースを接続する経路切替手段を備え、
データ伝送に関する制御情報は、前記経路切替手段を介して伝送されることを特徴とするディスクアレイ制御装置。
【請求項５】
ホストコンピュータとの複数のチャネルインターフェースと、
ディスク装置との複数のディスクインターフェースと、
前記複数のチャネルインターフェースと前記複数のディスクインターフェースを接続する第一の経路切替手段と、
前記複数のチャネルインターフェースと前記複数のディスクインターフェースを接続する第二の経路切替手段を備え、
前記ディスク装置に書き込まれるデータ、又は前記ディスク装置から読み出されるデータは、前記第一の経路切替手段を介して伝送され、
データ伝送に関する制御情報は、前記第二の経路切替手段を介して伝送されることを特徴とするディスクアレイ制御装置。
【請求項６】
ホストコンピュータとの複数のチャネルインターフェースと、
ディスク装置との複数のディスクインターフェースと、
前記チャネルインターフェースと第一のアクセスパスを介して接続され、前記ディスクインターフェースと第二のアクセスパスを介して接続された経路切替手段を備え、
前記チャネルインターフェースは、データ伝送に関する制御情報を前記第一のパスを介して前記複数のディスクインターフェースと通信し、
前記ディスクインターフェースは、データ伝送に関する制御情報を前記第二のパスを介して前記複数のチャネルインターフェースと通信することを特徴とするディスクアレイ制御装置。
【請求項７】
ディスクアレイ制御装置であって、
第一の外部装置との第一のインターフェースと、
第二の外部装置との第二のインターフェースと、
前記第一のインターフェースと前記第二のインターフェースを１対１接続可能な第一のアクセスパスと、
前記第一のインターフェースと前記第二のインターフェースを接続する第二のアクセスパスを備え、
前記第二の外部装置に書き込まれるデータ、又は前記第二の外部装置から読み出されるデータは、前記第一のアクセスパスを介して伝送され、
データ伝送に関する制御情報は、前記第二のアクセスパスを介して伝送され、
前記第一のアクセスパスのビット幅は前記第二のアクセスパスのビット幅よりも広いことを特徴とするディスクアレイ制御装置。
【請求項８】
ディスクアレイ制御装置であって、
第一の外部装置との第一のインターフェースと、
第二の外部装置との第二のインターフェースと、
前記第一のインターフェースと前記第二のインターフェースを１対１接続可能なデータ用ネットワークと、
前記第一のインターフェースと前記第二のインターフェースを接続する制御情報用ネットワークを備え、
前記第二の外部装置に書き込まれるデータ、又は前記第二の外部装置から読み出されるデータは、前記データ用ネットワークを介して伝送され、
データ伝送に関する制御情報は前記制御情報用ネットワークを介して、前記データ用ネットワークとは独立に、伝送されることを特徴とするディスクアレイ制御装置。
【請求項９】
ディスクアレイ制御装置であって、
第一の外部装置との第一のインターフェースと、
第二の外部装置との第二のインターフェースと、
前記第一のインターフェースと前記第二のインターフェースを接続する第一の経路切替手段と、
前記第一のインターフェースと前記第二のインターフェースを接続する第二の経路切替手段と、
前記第二の外部装置に書き込まれるデータ、又は前記第二の外部装置から読み出されるデータは前記第一の経路切替手段を介して伝送され、
データ伝送に関する制御情報は前記第二の経路切替手段を介して伝送されることを特徴とするディスクアレイ制御装置。
【請求項１０】
ディスクアレイ制御装置であって、
第一の外部装置との複数の第一のインターフェースと、
第二の外部装置との複数の第二のインターフェースと、
前記複数の第一のインターフェースと第一のアクセスパスを介して接続され、前記複数の第二のインターフェースと第二のアクセスパスを介して接続された経路切替手段を備え、
前記第一のインターフェースは、データ伝送に関する制御情報を前記第一のアクセスパスを介して、前記複数の第二のインターフェースと通信し、
前記第二のインターフェースは、データ伝送に関する制御情報を前記第二のアクセスパスを介して、前記複数の第一のインターフェースと通信することを特徴とするディスクアレイ制御装置。
【請求項１１】
ホストコンピュータとのインターフェースを有する複数のチャネルインターフェース部と、
ディスク装置とのインターフェースを有する複数のディスクインターフェース部と、
前記チャネルインターフェース部と前記ディスクインターフェース部を１対１接続可能な第一のアクセスパスと、
前記チャネルインターフェース部と前記ディスクインターフェース部を接続する第二のアクセスパスを備え、
前記ディスク装置に書き込まれるデータ、又は前記ディスク装置から読み出されるデータは、前記第一のアクセスパスを介して伝送され、
データ伝送に関する制御情報は、前記第二のアクセスパスを介して伝送され、
前記第一のアクセスパスのビット幅は前記第二のアクセスパスのビット幅よりも広いことを特徴とするディスクアレイ制御装置。
【請求項１２】
ホストコンピュータとのインターフェースを有する複数のチャネルインターフェース部と、
ディスク装置とのインターフェースを有する複数のディスクインターフェース部と、
前記チャネルインターフェース部と前記ディスクインターフェース部を１対１接続可能なデータ用ネットワークと、
前記チャネルインターフェース部と前記ディスクインターフェース部を接続する制御情報用ネットワークを備え、
前記ディスク装置に書き込まれるデータ、又は前記ディスク装置から読み出されるデータは、前記データ用ネットワークを介して伝送され、
データ伝送に関する制御情報は前記制御情報用ネットワークを介して、前記データ用ネットワークとは独立に、伝送されることを特徴とするディスクアレイ制御装置。
【請求項１３】
ホストコンピュータとのインターフェースを有する複数のチャネルインターフェース部と、
ディスク装置とのインターフェースを有する複数のディスクインターフェース部と、
前記チャネルインターフェース部と前記ディスクインターフェース部を接続する第一の経路切替手段と、
前記チャネルインターフェース部と前記ディスクインターフェース部を接続する第二の経路切替手段と、
前記ディスク装置に書き込まれるデータ、又は前記ディスク装置から読み出されるデータは前記第一の経路切替手段を介して伝送され、
データ伝送に関する制御情報は前記第二の経路切替手段を介して伝送されることを特徴とするディスクアレイ制御装置。
【請求項１４】
ホストコンピュータとのインターフェースを有する複数のチャネルインターフェース部と、
ディスク装置とのインターフェースを有する複数のディスクインターフェース部と、
前記複数のチャネルインターフェース部と第一のアクセスパスを介して接続され、前記複数のディスクインターフェース部と第二のアクセスパスを介して接続された経路切替手段を備え、
前記チャネルインターフェース部は、データ伝送に関する制御情報を前記第一のアクセスパスを介して、前記複数のディスクインターフェース部と通信し、
前記ディスクインターフェース部は、データ伝送に関する制御情報を前記第二のアクセスパスを介して、前記複数のチャネルインターフェース部と通信することを特徴とするディスクアレイ制御装置。